(57)【特許請求の範囲】
【請求項１】
断面が浅いコ字形をした前面と背面の断熱壁と、上記前面と背面の両断熱壁の端を繋ぐ屏風状に折り畳み可能の断熱側壁と、上記背面断熱壁にヒンジにより連結され撥ね上げ可能の断熱底板と、上記背面断熱壁にヒンジにより垂れ下げ可能に連結された断熱天井板と、上記屏風状に折り畳み可能な断熱側壁の底縁と上縁に宛がわれる伸縮可能な補強部材と、上記屏風状に折り畳み可能の断熱側壁の連結部に押しつけられるパッキングとからなる折り畳み可能保冷庫。
【請求項２】
上記伸縮可能な補強部材は、筒状部材とその筒状部材内に摺動可能に挿入される部材とからなり所定の位置で固定できるようにしてなる請求項１に記載の折り畳み可能保冷庫。
【請求項３】
上記断面が浅いコ字形をした前面と背面の断熱壁のコ字形の深さを、上記断熱底板と断熱天井板が収容できる深さである請求項１または２に記載の折り畳み可能保冷庫。
【請求項４】
上記パッキングの押しつけ機構は、オーバルカム、偏心カム、リンクによりロッドを進退させるようにしてなる請求項１から３のいずれかに記載の折り畳み可能保冷庫。
【請求項５】
上記伸縮可能な補強部材の底にキャスターを取付けてなる請求項１から４のいずれかに記載の折り畳み可能保冷庫。
【請求項６】
上記伸縮可能な補強部材は、筒状のＬ形部材とその筒状のＬ形部材内に摺動可能に挿入されるＬ形部材とからなる請求項１から５のいずれかに記載の折り畳み可能保冷庫。
【発明の詳細な説明】
【０００１】
【発明の属する技術分野】
この発明は、商品を保冷状態で搬送するときは構成部分を広げて内容積を大きくし、用済み後は構成部分を折り畳んで嵩低くして返送・保管できるようにした折り畳み式保冷庫に関する。
【０００２】
【従来の技術】
一般的な保冷庫は、保冷庫本体とドアー部分とからなり、本体部分およびドアー部分は外殻の内部空洞には発泡ウレタン樹脂混和物を注入発泡させて断熱層を形成したものである。
【０００３】
上記のような保冷庫で小型のものは、魚釣りマニアが使用するクールボックスから大形のものは内部に蓄冷剤と商品を収容して保冷状態で商品を輸送するためのものである。
【０００４】
【発明が解決しようとする課題】
上記大形の保冷庫では、内部に商品が詰まっているときは輸送や保管にかかるコストに響いてこないが、空の保冷庫に返送・保管するときは内部が空洞になっているため輸送・保管コストを大きく引き上げる原因になっている。
【０００５】
この発明は上記の問題に鑑み、内部に商品を収容して輸送するときは各構成部分を広げて断熱壁を有する保冷庫となり、使用後は各構成部分を折り畳んで嵩低くして返送・保管できるようにした折り畳み式保冷庫を提供することを課題とする。
【０００６】
【課題を解決するための手段】
上記課題を解決するためにこの発明は、断面が浅いコ字形をした前面と背面の断熱壁と、上記前面と背面の両断熱壁の端を繋ぐ屏風状に折り畳み可能の断熱側壁と、上記背面断熱壁にヒンジにより連結され撥ね上げ可能の断熱底板と、上記背面断熱壁にヒンジにより垂れ下げ可能に連結された断熱天井板と、上記屏風状に折り畳み可能な断熱側壁の底縁と上縁に宛がわれる伸縮可能な補強部材と、上記屏風状に折り畳み可能の断熱側壁の連結部に押しつけられるパッキングとからなる構成としたものである。
【０００７】
上記のごとく構成するこの発明によれば、使用状態では内容積が広げられて通常の保冷庫と同様の能力を発揮し、使用後は、折り畳んで嵩低くすることができるので返送・保管コストの低減を図ることが可能となる。
【０００８】
【発明の実施の形態】
次にこの発明の実施形態を図面を参照しながら説明する。図１はこの発明に係る折り畳み可能保冷庫の正面図で、断熱ドアー１１は前面断熱壁１２（外枠）にヒンジ１３により開閉可能に取り付けれ、断熱ドアー１１の正面左よりにロックハンドル１４が設けられ、前面断熱壁１２の左側には収容商品の表示パネル１６、庫内温度表示器１７などが設けられ、断熱側壁１５の底縁１５a と上縁１５b には断面Ｌ字形の補強部材１８が宛がわれ、この補強部材１８の下にはキャスターＣが取り付けられている。
【０００９】
なお、前面・背面断熱壁１２，１９と断熱側壁１５との接合部にはパッキング２７b を介在させている。
【００１０】
図２は側面図で、前面と背面の断熱壁１２，１９のコ字状に曲げられた端２０（図３参照）には、二枚の部分をヒンジ２１で連結して屏風状に折り畳み可能にした断熱側壁１５がヒンジ２２により折り畳み可能に連結され、上記断熱側壁１５の底縁１５a と上縁１５b に伸縮可能のＬ字形の補強部材１８が宛がわれ透孔３１を貫通してビスＶ（図４参照）で前面と背面の断熱壁１２，１９に固定されている。なお、上記ヒンジ２１，２２による連結部にはパッキング２７c を介在させている。
【００１１】
上記Ｌ字形の補強部材１８は、両端に筒状Ｌ字形部材１８s が配され、その筒状Ｌ字形部材１８s 内にＬ字形部材１８i が摺動可能に挿入され、上記折り畳み可能の断熱側壁１５が畳まれた状態と組み立てられた状態を固定する偏心カム２３（図４（ｃ）参照）が設けられている。
【００１２】
図３は、上面図で断熱側壁１５の上縁１５b （図１参照）には伸縮可能の断面Ｌ形の補強部材１８が宛がわれ、背面断熱壁１９には天井断熱板２４がヒンジ２５により連結され、二枚の断熱側壁１５はヒンジ２１により連結され、その両端は背面断熱壁１９および前面断熱壁１２の折り曲げ端２０にヒンジ２２により連結されている。なお、この連結された断熱側壁１５の端は、折り畳みに支障のないように４５度づつ面取りされている。
【００１３】
上記４５度の面取り部２６では、断熱効果が低下するので、その部分に断面三角形のパッキング２７a が宛がわれ、ハンドル２８を回すことによりオーバルカム２９（図５参照）が回転し、オーバルカム２９に端面が当接しているロッド３０が突き出され、それによってパッキング２７a は面取り部２６に押しつけられるようになっている。なお、上記パッキング２７a を押しつける機構としてオーバルカムの他、偏心カムやリンク機構など公知の機構を採用することができる。
【００１４】
なお、前面断熱壁１２と断熱ドアーとの当接部にはパッキング２７d が、ヒンジ２５による連結部にはパッキング２７e を介在させている。
【００１５】
図４は、断熱側壁１５の底縁１５a と上縁１５b に宛がわれる補強部材１８の詳細で、両端に筒状の断面Ｌ形部材１８s があり、この筒状の断面Ｌ形部材１８s 内に断面Ｌ形部材１８i が摺動可能に挿入されている。
【００１６】
上記筒状のＬ形部材１８s 外面には等間隔３か所に透孔３１が穿設され、その奥にビス孔が穿設され、上記透孔３１を通過してビスＶで前面と背面の断熱壁１２，１９（図２参照）に固定される。
【００１７】
また、筒状のＬ形部材１８s の内側端近傍には窓３４が開けられ、この窓４３に偏心カムレバー３５が設けられ、同レバー３５を倒すと偏心カム２３がＬ形部材１８i の長孔４０a に嵌められた座金Ｗを押して補強部材１８の伸縮位置が固定されるようになっている。なお、上記座金ＷはＬ形部材の抜け止めを兼ねている。
【００１８】
筒状のＬ形部材１８s の上面には長孔４０b が設けられ、この長孔４０b に、Ｌ形部材１８i の両端の孔３２（同図（ｃ）参照）に嵌入されたピン３３が摺動可能に嵌まってＬ形部材１８i の抜け止めとなっている。なお、長孔４０b を透して３か所にビスＶが見え、このビスＶによって筒状Ｌ形部材１８s が前面と背面の断熱壁１２，１９に固定される。
【００１９】
なお、上記補強部材１８の形状をＬ形としているが、必ずしもＬ形にする必要はなく、要は、折り畳まれた状態から、各構成部分を組み立てて内部に商品を収容したとき、その状態の保冷庫が歪むことのないよう支持・補強できるものであればよく、角形形鋼、平角形形鋼、Ｔ形鋼、Ｈ形鋼など適宜採用することができる。
【００２０】
図５は、図３で説明したパッキング２７a （図３参照）の押しつけ機構の詳細で、ハンドル２８の軸にはオーバルカム２９が取り付けられ、ロッド３０の端はスプリング３７に付勢されてオーバルカム２９の表面に当接していて、ハンドル２８を一点鎖線のように回すとスプリング３７に付勢されてロッド３０が後退し、実線のように回すとロッド３０はスプリング３７の付勢に抗して矢印の方向に進出し図３に示すようにパッキング２７a が４５度の面取り部分２６（図３参照）に押しつけられるようになる。
【００２１】
図６は、保冷庫を折り畳んだ状態を示しており、同図（ａ）に見られるように背面断熱壁１９の上部には図には現れていないヒンジを介して天井断熱板２４が垂れ下がり、背面断熱壁１９の下部には図には現れていないヒンジを介して底部断熱板３９が撥ね上げられ、断熱側壁１５はヒンジ２１，２２で折り畳まれ、断熱側壁１５の上縁と底縁に宛がわれた補強部材１８のＬ形部材１８i （図４参照）が筒状Ｌ形部材内１５s に納まって短くなっている。
【００２２】
同図（ｂ）は上面図で、断熱側壁１５はヒンジ２１，２２で折り畳まれ、背面断熱壁１９のコ字状の懐部分３８に底部断熱板３９と天井断熱板２４が納まり、断熱側壁１５の上縁と底縁に宛がわれた補強部材１８のＬ形部材１８i （図４参照）が筒状Ｌ形部材内１８s に納まって短くなっている。なお、断熱ドアー１１は前面断熱壁１２の枠内に納まっている。
【００２３】
【発明の効果】
以上説明したようにこの発明によれば、商品を収容して保冷状態で輸送・保管するときは、保冷庫を構成する各構成部分を組み立てて通常の保冷庫の状態にし、商品の輸送が終わると折り畳んで嵩低くして保冷庫を返送することができるので輸送・保管コストを大幅に低減することができる。
【００２４】
また、折り畳まれる断熱側壁の底縁部と上縁部に補強部材を宛がい、その補強部材の下にキャスターを取り付けているので、断熱側壁のヒンジによる連結部に負荷が掛かって保冷庫が歪むこともない。
【図面の簡単な説明】
【図１】この発明に係る折り畳み可能保冷庫の正面図
【図２】同側面図
【図３】同上面図
【図４】補強部材の詳細図（ａ）延ばした状態、（ｂ）縮めた状態、（ｃ）Ａ−Ａ断面図、（ｄ）上面図
【図５】パッキングの押しつけ機構詳細図
【図６】折り畳んだ状態の（ａ）側面図、（ｂ）上面図
【符号の説明】
１１  断熱ドアー
１２  前面断熱壁
１３  ヒンジ（ドアーの）
１４  ロックハンドル
１５  断熱側壁
１５a   断熱側壁の上縁
１５b   断熱側壁の底縁
１５i   内実Ｌ形部材
１５s   筒状Ｌ形部材
１６  表示パネル
１７  温度表示器
１８  補強部材
１９  背面断熱壁
２０  背面断熱壁の端
２１  ヒンジ（断熱側壁中間の）
２２  ヒンジ（断熱側壁両端の）
２３  固定手段
２４  天井断熱板
２５a   ヒンジ（底部断熱板の）
２５b   ヒンジ（天井断熱板の）
２６  面取り部
２７a ，２７b ，２７c ，２７d ，２７e   パッキング
２８  ハンドル
２９  オーバルカム
３０  ロッド
３１  透孔
３２  孔
３３  ピン
３４  窓
３５  偏心カムレバー
３６  ハンドル
３７  スプリング
３８  懐部分
３９  底部断熱板
４０a ，４０b   長孔
Ｃ  キャスター
Ｖ  ビス
【図１】
0004090185.tif 000002
【図２】
0004090185.tif 000003
【図３】
0004090185.tif 000004
【図４】
0004090185.tif 000005
【図５】
0004090185.tif 000006
【図６】
0004090185.tif 000007